(57)【要約】【課題】  ホットシューとＰＣターミナルに異なるストロボを接続した場合の多灯撮影において、ストロボの違いにより立ち上がりまでのタイムラグを考慮して発光開始を同期させる。【解決手段】  第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段とを有し、該制御手段により第1の発光開始信号の発生タイミングと第2の発光開始信号の発生タイミングを異ならしめ、前記第1の閃光装置と第2の閃光装置の発光開始を同期させることを特徴とするカメラ。【選択図】  図１  
2005134850.tif 000002
【特許請求の範囲】
【請求項１】
第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段とを有し、
該制御手段により第1の発光開始信号の発生タイミングと第2の発光開始信号の発生タイミングを異ならしめ、前記第1の閃光装置と第2の閃光装置の発光開始を同期させることを特徴とするカメラ。
【請求項２】
第1の閃光装置に第1の発光開始信号を伝える第1のシンクロ端子と、
第1の閃光装置とは発光開始時間の異なる第2の閃光装置に発光開始信号を伝える第2のシンクロ端子と、
前記第1および第2のシンクロ端子に接続された前記第1および第2の発光開始信号の発生タイミングを制御する制御手段と、
前記第1および第2の閃光装置の発光光を測光する測光手段と、
前記発光開始信号発生から前記測光手段により発光光が検出されるまでの発光開始時間を計測する計測手段と、
シンクロタイミング調整モードを選択する選択スイッチとを有し、
該選択スイッチにより前記シンクロタイミング調整モードが選択されている状態において、前記計測手段により第1の閃光装置の発光開始時間とそれに引き続いて第2の閃光装置の発光開始時間を計測し、
撮影に際し前記計測結果に基づき前記制御手段により前記第1の閃光装置と第2の閃光装置の発光開始を同期させることを特徴とするカメラ。
【請求項３】
第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段と、閃光装置の種類毎に対応した発光開始時間が記憶された記憶装置と、前記記憶装置に記憶された情報を読み出して前記第１および第2の閃光装置の発光開始時間を設定する設定手段と、設定モードを選択する選択スイッチとを有し、
該選択スイッチにより前記設定モードが選択されている状態において、前記設定手段により前記第1および第2の閃光装置の発光開始時間を設定し、
撮影に際し前記設定結果に基づき前記制御手段により前記第1の閃光装置と第2の閃光装置の発光開始を同期させることを特徴とするカメラ
【請求項４】
第1の通信手段を有し、第1の発光開始時間を記憶している第1の閃光装置と、
第2の通信手段を有し、第1の発光開始時間とは異なる第2の発光開始時間を記憶している第2の閃光装置と、
前記第1の閃光装置に第1の発光開始信号を伝える第1のシンクロ端子と、前記第2の閃光装置に発光開始信号を伝える第2のシンクロ端子と、前記第1および第2の閃光装置が装着されたことを検出する検出手段と、前記第1および第2のシンクロ端子に接続された前記第1および第2の発光開始信号の発生タイミングを制御する制御手段を有するカメラとで構成され、
前記検出手段によって前記第1および第2の閃光装置が装着されたことが検出されると、前記第1の閃光装置は第１の通信手段により第1の発光開始時間をカメラに通信し、前記第2の閃光装置は第2の通信手段により第2の発光開始時間をカメラに通信し、
撮影に際し前記通信結果に基づき前記制御手段により前記第1の閃光装置と第2の閃光装置の発光開始を同期させることを特徴とするカメラシステム。
【請求項５】
第1の照明装置に第1の発光開始信号を伝える第1のシンクロ端子と、
第1の照明装置とは発光開始時間の異なる第2の照明装置に発光開始信号を伝える第2のシンクロ端子と、
前記第1のシンクロ端子および第2のシンクロ端子に接続され、前記第1の発光開始信号および前記第2の発光開始信号の発生タイミングを制御する制御手段とを有し、
前記制御手段により第1の発光開始信号の発生タイミングと第2の発光開始信号の発生タイミングを異ならせることにより、前記第1の照明装置と前記第2の照明装置の発光開始を同期させることを特徴とするカメラ。
【発明の詳細な説明】
【技術分野】
【０００１】
本発明は複数の閃光装置を同時に接続可能で、接続された複数の閃光装置に対してそれぞれ独立して発光制御可能なカメラに関するものである。
【背景技術】
【０００２】
ホットシューとPCターミナルとに別個の閃光装置を装着し同時に発光させることのできるカメラが特許文献１にて開示されている。
【特許文献１】実開平０５−０１１１４０号公報
【発明の開示】
【発明が解決しようとする課題】
【０００３】
しかしながら、閃光装置の種類によってはカメラからの発光開始信号を受信してから実際に発光開始するまでの発光開始時間に差があるため、ホットシューとPCターミナルとで発光開始時間に差がある閃光装置を装着して同時発光させた場合に発光のピークにズレが生じてしまい、動きのある被写体撮影ではブレた写真となっていた。
【０００４】
また、特許文献１において、ホットシューとPCターミナルとに装着された別個の閃光装置をそれぞれ独立して発光制御できるような考案がなされているが、この考案の主たる目的は交互に閃光装置を発光させることにあり、その結果見かけ上充電時間を稼ぐことができ、連続撮影時の駒速度を上げることができるなどの効果をもたらしているが、交互に発光させることが目的であるため、複数の閃光装置の発光開始を同期させるような制御はおこなっていない。
【課題を解決するための手段】
【０００５】
そこで上記課題を解決するために請求項１に記載の発明では、第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段とを有するカメラにおいて、該制御手段により第1の発光開始信号の発生タイミングと第2の発光開始信号の発生タイミングを異ならしめ、前記第1の閃光装置と第2の閃光装置の発光開始を同期させることを特徴とする。
【０００６】
請求項２に記載の発明では、第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段と、前記第1および第2の閃光装置の発光光を測光する測光手段と、前記発光開始信号発生から前記測光手段により発光光が検出されるまでの発光開始時間を計測する計測手段と、シンクロタイミング調整モードを選択する選択スイッチとを有するカメラにおいて、該選択スイッチにより前記シンクロタイミング調整モードが選択されている状態において、前記計測手段により第1の閃光装置の発光開始時間とそれに引き続いて第2の閃光装置の発光開始時間を計測し、撮影に際し前記計測結果に基づき前記制御手段により前記第1の閃光装置と第2の閃光装置の発光開始を同期させることを特徴とする。
【０００７】
請求項３に記載の発明では、第1の閃光装置に第1の発光開始信号を伝える第1のシンクロ端子と、第1の閃光装置とは発光開始時間の異なる第2の閃光装置に発光開始信号を伝える第2のシンクロ端子と、前記第1および第2のシンクロ端子に接続された前記第1および第2の発光開始信号の発生タイミングを制御する制御手段と、閃光装置の種類毎に対応した発光開始時間が記憶された記憶装置と、前記記憶装置に記憶された情報を読み出して前記第１および第2の閃光装置の発光開始時間を設定する設定手段と、設定モードを選択する選択スイッチとを有するカメラにおいて、該選択スイッチにより前記設定モードが選択されている状態において、前記設定手段により前記第1および第2の閃光装置の発光開始時間を設定し、撮影に際し前記設定結果に基づき前記制御手段により前記第1の閃光装置と第2の閃光装置の発光開始を同期させることを特徴とする。
【０００８】
請求項４に記載の発明は、第1の通信手段を有し、第1の発光開始時間を記憶している第1の閃光装置と、第2の通信手段を有し、第1の発光開始時間とは異なる第2の発光開始時間を記憶している第2の閃光装置と、前記第1の閃光装置に第1の発光開始信号を伝える第1のシンクロ端子と、前記第2の閃光装置に発光開始信号を伝える第2のシンクロ端子と、前記第1および第2の閃光装置が装着されたことを検出する検出手段と、前記第1および第2のシンクロ端子に接続された前記第1および第2の発光開始信号の発生タイミングを制御する制御手段を有するカメラとで構成されるカメラシステムにおいて、前記検出手段によって前記第1および第2の閃光装置が装着されたことが検出されると、前記第1の閃光装置は第１の通信手段により第1の発光開始時間をカメラに通信し、前記第2の閃光装置は第2の通信手段により第2の発光開始時間をカメラに通信し、撮影に際し前記通信結果に基づき前記制御手段により前記第1の閃光装置と第2の閃光装置の発光開始を同期させることを特徴とする。
【０００９】
請求項５に記載の発明は、第1の照明装置に第1の発光開始信号を伝える第1のシンクロ端子と、第1の照明装置とは発光開始時間の異なる第2の照明装置に発光開始信号を伝える第2のシンクロ端子と、前記第1のシンクロ端子および第2のシンクロ端子に接続され、前記第1の発光開始信号および前記第2の発光開始信号の発生タイミングを制御する制御手段とを有し、前記制御手段により第1の発光開始信号の発生タイミングと第2の発光開始信号の発生タイミングを異ならせることにより、前記第1の照明装置と前記第2の照明装置の発光開始を同期させることを特徴とするカメラ。
【発明の効果】
【００１０】
本発明によれば、第1のシンクロ端子と第2のシンクロ端子にそれぞれ接続された閃光装置の種類の違いによる発光開始時間の差を考慮し、シンクロSW１とシンクロSW２をONするタイミングをそれぞれのシンクロ端子に接続された閃光装置の発光開始時間差分ずらすことによって、第1のシンクロ端子に接続された閃光装置と第2のシンクロ端子に接続された閃光装置の発光開始を同期させることが可能となる。
【発明を実施するための最良の形態】
【００１１】
【実施例１】
【００１２】
以下、図を用いて本発明の第1の実施例について説明する。図1は本発明の主要部を示すブロック図である。図１において１はカメラ本体であり、２はカメラ本体１と閃光装置４を接続するためのシンクロ端子であるホットシュー、３はカメラ本体１と閃光装置５を接続するためのシンクロ端子であるPCターミナルである。６はシンクロ端子２を介して発光開始信号を閃光装置４に伝えるためのスイッチング手段であり（以下シンクロＳＷ１）、シンクロSW１がONすることによって発光開始信号が閃光装置４へと伝えられる。
【００１３】
７はシンクロ端子３を介して発光開始信号を閃光装置５に伝えるためのスイッチング手段であり（以下シンクロＳＷ２）、シンクロSW２がONすることによって発光開始信号が閃光装置５へと伝えられる。８はカメラの各部動作を制御するマイクロコンピュータ（以下カメラマイコン）、９は閃光装置の発光を測光する測光手段、１０はカメラマイコン８に内蔵された時間計測手段であるタイマ、１１はシンクロタイミング調整モードＳＷであり、ホットシューとＰＣターミナルに接続された別個の閃光装置の発光開始時間の差を測定するモードに入るスイッチである。
【００１４】
１２はカメラのレリーズＳＷであり、通常の撮影動作において、レリーズＳＷ１２がONするとカメラマイコン８はシャッター動作に合わせてフィルムの露光に同期するようなタイミングで６のシンクロＳＷ１および７のシンクロＳＷ２をONさせ、シンクロ端子２に接続された閃光装置４およびシンクロ端子３に接続された閃光装置５を発光させる（図２）。
【００１５】
次にシンクロタイミング調整モード時の動作について図３のフローチャートおよび図４のタイミングチャートを用いて説明する。シンクロタイミング調整モードＳＷ１１がONすると（＃１０１）、カメラマイコン８からの発光開始信号によってシンクロＳＷ１がONする（図４の(a)のタイミング）と同時にホットシューに接続されている閃光装置４の発光開始時間（t１）を測定する為のタイマをスタートさせる（＃１０２、＃１０３）。
【００１６】
＃１０４では測光手段９によって閃光装置４の発光が確認されればタイマをストップさせ（＃１０５）、ホットシューに接続されている閃光装置４の発光開始時間（t１）を計測する（＃１０６）。＃１０４において何らかの原因によって閃光装置４が発光しなかったり、ホットシューに閃光装置４が装着されていない場合など、所定時間測光手段９によって発光が確認されない場合はタイマをストップさせ（＃１１３）、カメラの表示装置等にエラー表示をして（＃１１４）終了する。
【００１７】
＃１０７ではカメラマイコン８からの発光開始信号によってシンクロＳＷ２がONする（図４の(b)のタイミング）と同時にＰＣターミナルに接続されている閃光装置５の発光開始時間（t２）を測定する為のタイマをスタートさせる（＃１０８）。＃１０９では測光手段９によって閃光装置５の発光が確認されればタイマをストップさせ（＃１１０）、ＰＣターミナルに接続されている閃光装置５の発光開始時間（t２）を計測する（＃１１１）。
【００１８】
＃１０９において何らかの原因によって閃光装置５が発光しなかったり、ＰＣターミナルに閃光装置５が装着されていない場合など、所定時間測光手段９によって発光が確認されない場合はタイマをストップさせ（＃１１６）、カメラの表示装置等にエラー表示をして（＃１１７）終了する。なおカメラの電源投入時にt１およびt２の値は初期値０に設定され、シンクロタイミング調整モードにて計測される毎に更新されたt1およびt2の値がそれぞれ設定される。
【００１９】
次にレリーズ時の動作について図５のフローチャートと図６のタイミングチャートを用いて説明する。レリーズSW１２がONすると（＃２０１）、＃２０２でカメラマイコン８はt１とt２の値を比較し、t１＜t２であれば、＃２０３でPCターミナル側のシンクロSW２をONし（図６の(d)のタイミング）、t２−t１待ってから（＃２０４）、＃２０５でホットシュー側のシンクロＳＷ１をONさせる（図６の(c)のタイミング）。
【００２０】
＃２０２においてt1＜t2でなければ、＃２０６でホットシュー側のシンクロＳＷ１をONし、t1−t2待ってから（＃２０７）、＃２０８でＰＣターミナル側のシンクロＳＷ２をONさせる。これらの動作によって、ホットシュー側の閃光装置の発光開始とPCターミナル側の閃光装置の発光開始が同期する（図６の(e)のタイミング）。
【００２１】
以上説明したように、第1のシンクロ端子と第2のシンクロ端子にそれぞれ接続された閃光装置の発光開始時間をシンクロタイミング調整モードにて計測し、シンクロSW１とシンクロSW２をONするタイミングをそれぞれのシンクロ端子に接続された閃光装置の発光開始時間差分ずらすことによって、第1のシンクロ端子に接続された閃光装置と第2のシンクロ端子に接続された閃光装置の発光開始を同期させることが可能となる。
【実施例２】
【００２２】
次に本発明の第2の実施例について説明する。図７は本発明の主要部を示すブロック図である。図７において１はカメラ本体であり、２はカメラ本体１と閃光装置４を接続するためのシンクロ端子であるホットシュー、３はカメラ本体１と閃光装置５を接続するためのシンクロ端子であるPCターミナルである。６はシンクロ端子２を介して発光開始信号を閃光装置４に伝えるためのスイッチング手段であり（以下シンクロＳＷ１）、シンクロSW１がONすることによって発光開始信号が閃光装置４へと伝えられる。
【００２３】
７はシンクロ端子３を介して発光開始信号を閃光装置５に伝えるためのスイッチング手段であり（以下シンクロＳＷ２）、シンクロSW２がONすることによって発光開始信号が閃光装置５へと伝えられる。８はカメラの各部動作を制御するマイクロコンピュータ（以下カメラマイコン）、１２はカメラのレリーズＳＷである。
【００２４】
１３は閃光装置の種類毎に定められた発光開始時間が記憶されている記憶装置であり、１４はホットシューとPCターミナルそれぞれについて接続されている閃光装置の種類を設定する設定手段であり、１５の設定スイッチがONすることによって設定が可能となる。１６は閃光装置の種類設定時に記憶装置１３に記憶されている閃光装置の種類を表示する表示装置である。
【００２５】
通常の撮影動作において、レリーズＳＷ１２がONするとカメラマイコン８はシャッター動作に合わせてフィルムの露光に同期するようなタイミングで６のシンクロＳＷ１および７のシンクロＳＷ２をONさせ、シンクロ端子２に接続された閃光装置４およびシンクロ端子３に接続された閃光装置５を発光させる（図２）。
【００２６】
次に設定手段１４による閃光装置の種類を設定する設定モード時の動作について図８のフローチャートを用いて説明する。設定モードスイッチ１５がONするとホットシューおよびPCターミナルにそれぞれ接続されている閃光装置の種類を設定する設定モードに入り（＃３０１）、＃３０２では記憶装置１３に記憶されている閃光装置の種類が表示装置１６に表示されるので、設定手段１４を操作してホットシュー側に接続されている閃光装置のメーカーおよび型名を選択する。
【００２７】
＃３０３では選択された種類の閃光装置に対応する発光開始時間（t1）が記憶装置１３から読み出されてt1の値が設定される。＃３０４では記憶装置１３に記憶されている閃光装置の種類が表示装置１６に表示されるので、設定手段１４を操作してPCターミナル側に接続されている閃光装置のメーカーおよび型名を選択する。＃３０５では選択された種類の閃光装置に対応する発光開始時間（t2）が記憶装置１３から読み出されてt2の値が設定される。
【００２８】
レリーズ時の動作は図５のフローチャートおよび図６のタイミングチャートに示される通りであり、第1の実施例と同じであるので省略する。
【００２９】
以上説明したように、第1のシンクロ端子と第2のシンクロ端子にそれぞれ接続された閃光装置の種類を設定手段によって設定し、設定された種類の閃光装置に対応する発光開始時間を記憶装置から読み出し、シンクロSW１とシンクロSW２をONするタイミングをそれぞれのシンクロ端子に接続された閃光装置の発光開始時間差分ずらすことによって、第1のシンクロ端子に接続された閃光装置と第2のシンクロ端子に接続された閃光装置の発光開始を同期させることが可能となる。
【００３０】
またその他の実施例として、第2の実施例ではカメラ側が閃光装置の種類毎の発光開始時間のデータを記憶しているといった構成であるが、閃光装置側が自らの発光開始時間のデータを記憶していて、閃光装置からカメラへの通信によって閃光装置の発光開始時間のデータをカメラ側へ送るようなシステム構成とすることも可能である。
【００３１】
例えば前記システム構成において閃光装置がカメラに装着されたことが検出されると閃光装置は記憶されている発光開始時間のデータをカメラへ送信することによって、シンクロ端子に接続されている閃光装置に対応した発光開始時間がカメラ側に設定される。以下レリーズ時の動作においては第1および第2の実施例と同様な動作で第1のシンクロ端子に接続された閃光装置と第2のシンクロ端子に接続された閃光装置の発光開始を同期させることが可能となる。
【図面の簡単な説明】
【００３２】
【図１】本発明の第１の実施例における主要部ブロック図
【図２】通常の撮影動作における発光タイミングチャート
【図３】本発明の第１の実施例におけるシンクロタイミング調整モード時の動作を示すフローチャート
【図４】本発明の第１の実施例におけるシンクロタイミング調整モード時の動作を示すタイミングチャート
【図５】本発明の第１の実施例および第２の実施例におけるレリーズ時の動作を示すフローチャート
【図６】本発明の第１の実施例および第２の実施例におけるレリーズ時の動作を示すタイミングチャート
【図７】本発明の第２の実施例における主要部ブロック図
【図８】本発明の第２の実施例における設定時の動作を示すフローチャート
【符号の説明】
【００３３】
１  カメラ
２  ホットシュー
３  PCターミナル
６  シンクロSW１
７  シンクロSW２
１１  シンクロタイミング調整モードSW
１２  レリーズSW
１５  設定モードSW
【図１】
2005134850.tif 000003
【図２】
2005134850.tif 000004
【図３】
2005134850.tif 000005
【図４】
2005134850.tif 000006
【図５】
2005134850.tif 000007
【図６】
2005134850.tif 000008
【図７】
2005134850.tif 000009
【図８】
2005134850.tif 000010